(57)【要約】【課題】ジョブ管理情報を簡便な方法で確認することができる画像処理装置、画像処理システムおよびプログラムを提供する。【解決手段】ネットワーク４に接続された複写機３，５は、ＲＦＩＤタグが付加されたＲＦＩＤタグ付き原稿に対応しており、ＲＦＩＤタグが付加されたＲＦＩＤタグ付き原稿から読み取った原稿画像に対して、コピー、ＦＡＸ、プリント等のジョブを実行する。そのジョブを実行後、ジョブ受付日時、マシンＩＤ、ジョブＩＤ、使用者名、ステータス等からなるジョブ管理情報を自機内のジョブ管理部に保存し、指示に応じて操作表示部５０に表示し、或いは印字出力する。【選択図】図１
2007306332.tif 000002
【特許請求の範囲】
【請求項１】
ＲＦＩＤタグ付き原稿から原稿画像を読み取り、前記原稿画像について指定されたジョブを実行する画像処理装置において、
前記ジョブの実行後にジョブ管理情報を生成し、前記ジョブ管理情報を前記ＲＦＩＤタグに書き込む制御手段を備えたことを特徴とする画像処理装置。
【請求項２】
前記制御手段は、前記ジョブを実行する度に前記ジョブ管理情報を生成し、複数の前記ジョブ管理情報をジョブ履歴情報として前記ＲＦＩＤタグに書き込むことを特徴とする請求項１に記載の画像処理装置。
【請求項３】
前記制御手段は、前記ＲＦＩＤタグ付き原稿を用いた前記ジョブ管理情報の出力指示に基づいて、前記ＲＦＩＤタグから前記ジョブ管理情報を読み出して表示又は印字により出力することを特徴とする請求項１に記載の画像処理装置。
【請求項４】
前記制御手段は、前記ジョブ管理情報をジョブ管理部にも書き込み、その後、前記ジョブ管理情報に含まれるジョブステータスを更新することを特徴とする請求項１に記載の画像処理装置。
【請求項５】
前記制御手段は、前記ＲＦＩＤタグ付き原稿を用いた前記ジョブ管理情報の出力指示に基づいて、前記ＲＦＩＤタグから前記ジョブ管理情報に含まれるジョブＩＤを読み出し、前記ジョブＩＤに対応する前記ジョブ管理情報を前記ジョブ管理部から読み出して表示又は印字により出力することを特徴とする請求項４に記載の画像処理装置。
【請求項６】
前記ジョブ管理部は、装置内部に設けられ、
前記制御手段は、前記ＲＦＩＤタグ付き原稿を用いた前記ジョブ管理情報の出力指示に基づいて、前記ＲＦＩＤタグから前記ジョブ管理情報に含まれるマシンＩＤおよびジョブＩＤを読み出し、前記マシンＩＤに対応する自己または他の画像処理装置に設けられた前記ジョブ管理部から前記ジョブＩＤに対応する前記ジョブ管理情報を読み出して表示又は印字により出力することを特徴とする請求項４に記載の画像処理装置。
【請求項７】
前記ジョブ管理部は、複数の画像処理装置を管理するサーバに設けられ、
前記制御手段は、前記ＲＦＩＤタグ付き原稿を用いた前記ジョブ管理情報の出力指示に基づいて、前記ＲＦＩＤタグから前記ジョブ管理情報に含まれるマシンＩＤおよびジョブＩＤを読み出し、前記マシンＩＤおよびジョブＩＤに対応する前記ジョブ管理情報を前記サーバの前記ジョブ管理部から読み出して表示又は印字により出力することを特徴とする請求項４に記載の画像処理装置。
【請求項８】
前記制御手段は、前記ＲＦＩＤタグ付き原稿を用いた前記ジョブ管理情報の出力指示に基づいて、前記ＲＦＩＤタグから前記ジョブ管理情報に含まれるジョブＩＤを読み出し、前記ジョブＩＤに対応する前記ジョブ管理情報を前記ジョブ管理部から読み出して表示部にリストとして表示し、前記リストのうちステータスが異常終了のジョブ管理情報が指定されたとき、そのジョブを再度実行することを特徴とする請求項４に記載の画像処理装置。
【請求項９】
前記ジョブ管理情報は、ジョブを受け付けた日時を示すジョブ受付日時、ジョブを識別するジョブＩＤ、ユーザＩＤ又は使用者名、およびジョブの状態を示すステータスを含むことを特徴とする請求項１に記載の画像処理装置。
【請求項１０】
前記ジョブ管理情報は、ジョブを受け付けた画像処理装置を識別するマシンＩＤをさらに含むことを特徴とする請求項９に記載の画像処理装置。
【請求項１１】
前記ジョブ履歴情報は、ＲＦＩＤタグ付き原稿を識別する原稿ＩＤをさらに含むことを特徴とする請求項９又は１０に記載の画像処理装置。
【請求項１２】
ＲＦＩＤタグ付き原稿から原稿画像を読み取り、前記原稿画像について指定されたジョブを実行する複数の画像処理装置がネットワークを介して接続された画像処理システムにおいて、
前記画像処理装置は、ジョブ管理情報を保存するジョブ管理部と、前記ジョブの実行後にジョブ管理情報を生成し、前記ジョブ管理情報を前記ＲＦＩＤタグおよび前記ジョブ管理部に書き込む制御手段を備え、
前記制御手段は、前記ＲＦＩＤタグ付き原稿を用いた前記ジョブ管理情報の確認指示に基づいて、前記ＲＦＩＤタグから前記ジョブ管理情報に含まれるマシンＩＤおよびジョブＩＤを読み出し、前記マシンＩＤに対応する自己または他の画像処理装置の前記ジョブ管理部から前記ジョブＩＤに対応する前記ジョブ管理情報を読み出して表示又は印字により出力することを特徴とする画像処理システム。
【請求項１３】
ＲＦＩＤタグ付き原稿から原稿画像を読み取り、前記原稿画像について指定されたジョブを実行する複数の画像処理装置、および前記複数の画像処理装置を管理するサーバがネットワークを介して接続された画像処理システムにおいて、
前記画像処理装置は、前記ジョブの実行後にジョブ管理情報を生成し、前記ジョブ管理情報を前記ＲＦＩＤタグおよび前記サーバ内のジョブ管理部に書き込む制御手段を備え、
前記制御手段は、前記ＲＦＩＤタグ付き原稿を用いた前記ジョブ管理情報の確認指示に基づいて、前記ＲＦＩＤタグから前記ジョブ管理情報に含まれるマシンＩＤおよびジョブＩＤを読み出し、前記マシンＩＤおよびジョブＩＤに対応する前記ジョブ管理情報を前記サーバの前記ジョブ管理部から読み出して表示又は印字により出力することを特徴とする画像処理システム。
【請求項１４】
ＲＦＩＤタグ付き原稿から原稿画像を読み取り、前記原稿画像について指定されたジョブをコンピュータに実行させるためのプログラムにおいて、
前記ジョブの実行後にジョブ管理情報を生成し、前記ジョブ管理情報を前記ＲＦＩＤタグに書き込む制御手段を含むことを特徴とするプログラム。
【請求項１５】
前記制御手段は、前記ジョブを実行する度に前記ジョブ管理情報を生成し、複数の前記ジョブ管理情報をジョブ履歴情報として前記ＲＦＩＤタグに書き込むことを特徴とする請求項１４に記載のプログラム。
【請求項１６】
前記制御手段は、前記ＲＦＩＤタグ付き原稿を用いた前記ジョブ管理情報の出力指示に基づいて、前記ＲＦＩＤタグから前記ジョブ管理情報を読み出して表示又は印字により出力することを特徴とする請求項１４に記載のプログラム。
【請求項１７】
前記制御手段は、前記ジョブ管理情報をジョブ管理部にも書き込み、その後、前記ジョブ管理情報に含まれるジョブステータスを更新することを特徴とする請求項１４に記載のプログラム。
【請求項１８】
前記制御手段は、前記ＲＦＩＤタグ付き原稿を用いた前記ジョブ管理情報の出力指示に基づいて、前記ＲＦＩＤタグから前記ジョブ管理情報に含まれるジョブＩＤを読み出し、前記ジョブＩＤに対応する前記ジョブ管理情報を前記ジョブ管理部から読み出して表示又は印字により出力することを特徴とする請求項１７に記載のプログラム。
【発明の詳細な説明】
【技術分野】
【０００１】
本発明は、ＲＦＩＤ（Radio Frequency Identfication）タグ付き原稿から原稿画像を読み取り、原稿画像について指定されたジョブを実行する画像処理装置、画像処理システムおよびプログラムに関する。
【背景技術】
【０００２】
画像処理装置でメモリ（ＩＣタグ）付きの用紙に対して印刷ジョブを実行する際、ＩＣタグから印刷ジョブの識別情報を読み取り、印刷ジョブの終了後、画像データ、ＩＤ符号、およびこれらを関連付ける情報をサーバに保存しておき、再印刷時には、画像処理装置がＩＣタグの情報（ＩＤ符号）を読み取ってサーバに問い合わせ、サーバが検索した画像データファイルを画像処理装置へ転送して印刷する画像処理システムが知られている（例えば、特許文献１参照。）。
【特許文献１】特開２００４−３２２５７０号公報
【発明の開示】
【発明が解決しようとする課題】
【０００３】
しかし、従来の画像処理システムによると、サーバにＩＣタグの情報（ＩＤ符号）と用紙の情報（画像データ）が保存され、サーバに保存された情報は再印刷に用いられるのみであるため、いつどの様な目的で再印刷したかのジョブ管理については考慮されていない。このため、例えば、ある会社にファクスを送信済みであっても、送信したか否かを送信者の記憶やメモでしか確認できないため、メモを忘れたり記憶が曖昧になれば、送信の有無を確認することができない。
【０００４】
従って、本発明の目的は、ジョブ管理情報を簡便な方法で確認することができる画像処理装置、画像処理システムおよびプログラムを提供することにある。
【課題を解決するための手段】
【０００５】
本発明の第１の態様は、上記目的を達成するため、ＲＦＩＤタグ付き原稿から原稿画像を読み取り、前記原稿画像について指定されたジョブを実行する画像処理装置において、
前記ジョブの実行後にジョブ管理情報を生成し、前記ジョブ管理情報を前記ＲＦＩＤタグに書き込む制御手段を備えたことを特徴とする画像処理装置を提供する。
【０００６】
上記第１の態様の画像処理装置によれば、ＲＦＩＤタグにジョブ管理情報が保存されているので、ＲＦＩＤリーダ・ライタを用いてＲＦＩＤタグからジョブ管理情報を読み出し、表示部や印字部により出力することにより、ジョブ管理情報を簡便な方法で確認することができる。
【０００７】
前記制御手段は、前記ジョブを実行する度に前記ジョブ管理情報を生成し、複数の前記ジョブ管理情報をジョブ履歴情報として前記ＲＦＩＤタグに書き込む構成にすることができる。ジョブ履歴情報の中から目的とするジョブ管理情報を検索することができる。
【０００８】
前記制御手段は、前記ＲＦＩＤタグ付き原稿を用いた前記ジョブ管理情報の出力指示に基づいて、前記ＲＦＩＤタグから前記ジョブ管理情報を読み出して表示又は印字により出力する構成にすることができる。ジョブ管理情報を表示又は印字により出力することにより、目視により確認することができる。
【０００９】
前記制御手段は、前記ジョブ管理情報をジョブ管理部にも書き込み、その後、前記ジョブ情報に含まれるジョブステータスを更新する構成にすることができる。これにより、ジョブ管理部には、最新のジョブステータスが書き込まれることになる。
【００１０】
前記制御手段は、前記ＲＦＩＤタグ付き原稿を用いた前記ジョブ管理情報の出力指示に基づいて、前記ＲＦＩＤタグから前記ジョブ管理情報に含まれるジョブＩＤを読み出し、前記ジョブＩＤに対応する前記ジョブ管理情報を前記ジョブ管理部から読み出して表示又は印字により出力する構成にすることができる。ユーザは、ジョブの実行結果（ジョブステータス）を知ることができる。
【００１１】
前記ジョブ管理部は、装置内部に設けられ、前記制御手段は、前記ＲＦＩＤタグ付き原稿を用いた前記ジョブ管理情報の出力指示に基づいて、前記ＲＦＩＤタグから前記ジョブ管理情報に含まれるマシンＩＤおよびジョブＩＤを読み出し、前記マシンＩＤに対応する自己または他の画像処理装置に設けられた前記ジョブ管理部から前記ジョブＩＤに対応する前記ジョブ管理情報を読み出して表示又は印字により出力する構成にすることができる。普段使用していない画像処理装置からジョブ管理情報を出力させることができる。
【００１２】
前記ジョブ管理部は、複数の画像処理装置を管理するサーバに設けられ、前記制御手段は、前記ＲＦＩＤタグ付き原稿を用いた前記ジョブ管理情報の出力指示に基づいて、前記ＲＦＩＤタグから前記ジョブ管理情報に含まれるマシンＩＤおよびジョブＩＤを読み出し、前記マシンＩＤおよびジョブＩＤに対応する前記ジョブ管理情報を前記サーバの前記ジョブ管理部から読み出して表示又は印字により出力する構成にすることができる。サーバに接続されているいずれの画像処理装置からもジョブ管理情報を出力させることができる。
【００１３】
前記制御手段は、前記ＲＦＩＤタグ付き原稿を用いた前記ジョブ管理情報の出力指示に基づいて、前記ＲＦＩＤタグから前記ジョブ管理情報に含まれるジョブＩＤを読み出し、前記ジョブＩＤに対応する前記ジョブ管理情報を前記ジョブ管理部から読み出して表示部にリストとして表示し、前記リストのうちステータスが異常終了のジョブ管理情報が指定されたとき、そのジョブを再度実行する構成にすることができる。この構成によれば、ユーザの作業を軽減することができる。
【００１４】
前記ジョブ管理情報は、ジョブを受け付けた日時を示すジョブ受付日時、ジョブを識別するジョブＩＤ、ユーザＩＤ又は使用者名、およびジョブの状態を示すステータスを含むものとしてもよい。ジョブ管理情報の情報量が多い程、目的のジョブの検索が可能となる。
【００１５】
前記ジョブ管理情報は、ジョブを受け付けた画像処理装置を識別するマシンＩＤをさらに含むものとしてもよい。マシンＩＤにより画像処理装置毎にジョブ管理情報を管理することができる。
【００１６】
前記ジョブ履歴情報は、ＲＦＩＤタグ付き原稿を識別する原稿ＩＤをさらに含むものとしてもよい。原稿ＩＤによりＲＦＩＤタグ付き原稿毎にジョブ管理情報を管理することができる。
【００１７】
本発明の第２の態様は、上記目的を達成するため、ＲＦＩＤタグ付き原稿から原稿画像を読み取り、前記原稿画像について指定されたジョブを実行する複数の画像処理装置がネットワークを介して接続された画像処理システムにおいて、前記画像処理装置は、ジョブ管理情報を保存するジョブ管理部と、前記ジョブの実行後にジョブ管理情報を生成し、前記ジョブ管理情報を前記ＲＦＩＤタグおよび前記ジョブ管理部に書き込む制御手段を備え、前記制御手段は、前記ＲＦＩＤタグ付き原稿を用いた前記ジョブ管理情報の確認指示に基づいて、前記ＲＦＩＤタグから前記ジョブ管理情報に含まれるマシンＩＤおよびジョブＩＤを読み出し、前記マシンＩＤに対応する自己または他の画像処理装置の前記ジョブ管理部から前記ジョブＩＤに対応する前記ジョブ管理情報を読み出して表示又は印字により出力することを特徴とする画像処理システムを提供する。
【００１８】
上記第２の態様の画像処理システムによれば、ＲＦＩＤタグにジョブ管理情報が保存されているので、ＲＦＩＤリーダ・ライタを用いてＲＦＩＤタグからジョブ管理情報を読み出し、表示や印字により出力することにより、ジョブ管理情報を簡便な方法で確認することができる。また、普段使用する画像処理装置以外の画像処理装置からジョブ管理情報を出力することができる。
【００１９】
本発明の第３の態様は、上記目的を達成するため、ＲＦＩＤタグ付き原稿から原稿画像を読み取り、前記原稿画像について指定されたジョブを実行する複数の画像処理装置、および前記複数の画像処理装置を管理するサーバがネットワークを介して接続された画像処理システムにおいて、前記画像処理装置は、前記ジョブの実行後にジョブ管理情報を生成し、前記ジョブ管理情報を前記ＲＦＩＤタグおよび前記サーバ内のジョブ管理部に書き込む制御手段を備え、前記制御手段は、前記ＲＦＩＤタグ付き原稿を用いた前記ジョブ管理情報の確認指示に基づいて、前記ＲＦＩＤタグから前記ジョブ管理情報に含まれるマシンＩＤおよびジョブＩＤを読み出し、前記マシンＩＤおよびジョブＩＤに対応する前記ジョブ管理情報を前記サーバの前記ジョブ管理部から読み出して表示又は印字により出力することを特徴とする画像処理システムを提供する。
【００２０】
上記第３の態様の画像処理システムによれば、ＲＦＩＤタグにジョブ管理情報が保存されているので、ＲＦＩＤリーダ・ライタを用いてＲＦＩＤタグからジョブ管理情報を読み出し、表示や印字により出力することにより、ジョブ管理情報を簡便な方法で確認することができる。また、ジョブ管理情報をサーバで集中管理しているので、いずれの画像処理装置からもジョブ管理情報を出力することができる。
【００２１】
本発明の第４の態様は、上記目的を達成するため、ＲＦＩＤタグ付き原稿から原稿画像を読み取り、前記原稿画像について指定されたジョブをコンピュータに実行させるためのプログラムにおいて、前記ジョブの実行後にジョブ管理情報を生成し、前記ジョブ管理情報を前記ＲＦＩＤタグに書き込む制御手段を含むことを特徴とするプログラムを提供する。
【００２２】
上記ジョブには、コピー、プリント、ファクス、メール等の単一のジョブや、これらの複数のジョブからなるジョブフローも含まれる。上記画像処理装置には、複写機、プリンタ、ファックス機等の専用機や、これらを接続して構成されたシステム、コピー、プリント、ファクス、メール等の複数の機能を有する複合機等が含まれる。上記ネットワークには、ＬＡＮ（ローカルエリアネットワーク）、インターネット等が含まれる。
【発明の効果】
【００２３】
本発明によれば、ジョブ管理情報を簡便な方法で確認することができる。
【発明を実施するための最良の形態】
【００２４】
［第１の実施の形態］
（画像処理システムの構成）
図１は、本発明の第１の実施の形態に係る画像処理システムを示す。この画像処理システム１は、ＬＡＮ（ローカルエリアネットワーク）等のネットワーク４に接続されたユーザ端末装置２及び画像処理装置としての第１，第２の複合機３，５と、ネットワーク４に公衆電話網７０を介して接続されたＦＡＸ（ファクシミリ）機７１とを備えて構成されている。
【００２５】
ユーザ端末装置２は、例えば、パーソナルコンピュータ（ＰＣ）であり、本体、ディスプレイ、キーボード、マウス等を備えて構成されている。
【００２６】
第１，第２の複合機３，５は、本実施の形態においては同一構成であり、「コピー＋プリンタ＋ファクシミリ」や「コピー＋プリンタ＋ファクシミリ＋スキャナ」等の機能を有している。
【００２７】
ＦＡＸ機７１は、Ｇ３、Ｇ４等の方式規格により画像や文書のＦＡＸの送受信を第１，第２の複合機３，５との間で行うファクシミリ専用機である。
【００２８】
（複合機の構成）
図２は、第１の複合機３の構成を示す。この複合機３は、筐体を構成している本体１０と、本体１０内に設けられて指定のサイズ及び紙質の用紙に可視像による印刷を行う印刷部２０と、本体１０内に設けられて印刷部２０に供給される指定の用紙を収納する給紙部３０とを備えている。なお、第２の複合機５の構成は、第１の複合機３と同様であるので、説明を省略する。
【００２９】
本体１０には、文字や画像が記録されている、通常の原稿のほかＲＦＩＤタグ付き原稿９が載置される原稿トレイ１１と、印刷部２０により印刷が終了した記録紙を排出する排紙トレイ１２と、原稿トレイ１１からの通常の原稿およびＲＦＩＤタグ付き原稿９の表面を光学的に読み取るスキャナ１３と、原稿トレイ１１上のＲＦＩＤタグ付き原稿９に対してデータの書き込み／読み出しを行うＲＦＩＤリーダ・ライタ１４と、原稿トレイ１１からの通常の原稿およびＲＦＩＤタグ付き原稿９を排出する排紙台１５と、給紙部３０から印刷部２０へ搬送されるＲＦＩＤタグ付き原稿９にデータを書き込むＲＦＩＤライタ１６とが設けられている。
【００３０】
ＲＦＩＤタグ付き原稿９は、外部から電源供給及びデータの書き込み／読み出しが無線により行われる微小なＩＣチップによるＲＦＩＤタグ９１と、このＲＦＩＤタグ９１が所定の位置に設けられたペーパー９２からなる。そして、ＲＦＩＤタグ９１は、データの書き込み／読み出しが可能な不揮発性のメモリを備えている。また、ペーパー９２には、例えば、原稿の名称、概要、送り状等が印刷や手書きにより記載されている。
【００３１】
印刷部２０は、スキャナ１３による読取情報に基づいて光信号を生成する露光部２１と、露光部２１からの光を所定方向へ反射させるミラー２２と、ミラー２２からの光に基づいて表面に潜像が形成されるとともに該潜像にトナーによる可視像が形成される感光体ドラム２３と、感光体ドラム２３上のトナー像を給紙部３０からの用紙上に転写する転写部２４と、転写されたトナー像を熱及び加圧力により用紙上に定着させる定着ローラ２５とを備える。
【００３２】
給紙部３０は、例えば、Ａ４，Ｂ４等のサイズの用紙がサイズ毎にセットされる用紙トレイ３２Ａ，３２Ｂと、データ書き込み前のＲＦＩＤタグ付き原稿９がセットされるタグ付き原稿トレイ３３と、用紙トレイ３２Ａ，３２Ｂ及びタグ付き原稿トレイ３３から用紙を送り出す給紙ローラ３４と、この給紙ローラ３４によって送り出された用紙を印刷部２０へ搬送する複数の搬送ローラ３５とを備える。
【００３３】
（複合機の制御系の構成）
図３は、第１の複合機３の制御系を示す。この制御系は、上記したスキャナ１３、ＲＦＩＤリーダ・ライタ１４、ＲＦＩＤライタ１６、印刷部２０、及び給紙部３０を備えるほか、第１の複合機３の全体を制御するＣＰＵ４１と、ＣＰＵ４１を周辺構成に接続するバス４２と、ＣＰＵ４１を動作させる基本プログラムが格納されたＲＯＭ４３と、データやプログラムを一時的に記憶するＲＡＭ４４と、複合機３を動作させるプログラム、文書データ、画像データ等を記憶するＨＤＤ（ハードディスクドライブ）４５と、コピー等のジョブに関するジョブ管理情報を格納するジョブ管理部４６と、ネットワーク４を介してユーザ端末装置２及び第２の複合機５との間で通信を行うネットワーク通信部４７と、電話回線網７０に接続されてＦＡＸ機７１との間でファクス送受信を行うファクス通信部４８と、ユーザにより操作される操作表示部５０とを備える。なお、複合機３、５を動作させるプログラムは、ＣＤ−ＲＯＭ等の記録媒体から複合機３、５内に取り込んでもよく、ネットワーク４等を介して取り込んでもよい。
【００３４】
ここで、ＣＰＵ４１、ＲＯＭ４３、ＲＡＭ４４、ＨＤＤ４５、およびジョブ管理部４６の一部は、制御手段を構成している。なお、第２の複合機５の制御系の構成は、第１の複合機３と同様であるので、説明を省略する。
【００３５】
ＨＤＤ４５には、ユーザＩＤ、パスワードおよび氏名がユーザ認証情報としてユーザＩＤ毎に登録されている。
【００３６】
ジョブ管理部４６は、ジョブを受け付けると、ジョブＩＤを発行してジョブ管理情報を蓄積・管理するように、ＣＰＵ、メモリ等を用いて構成されている。
【００３７】
図４は、複合機３のジョブ管理部４６に記憶されているジョブ履歴（ジョブ管理情報の一覧）の一例を示す。このジョブ履歴１００は、年、月、日、時、分からなる「ジョブ受付日時」、ジョブを受け付けた複合機（マシン）を識別する「マシンＩＤ」、ジョブを識別する「ジョブＩＤ」、複写機の利用者の名前を示す「利用者名」、ジョブに対する複合機の待機中、中止、正常終了等の作業状態を示す「ステータス」の５項目のジョブ管理情報からなる。「マシンＩＤ」は、ＩＰ（Internet Protocol）アドレスまたはＦＱＤＮ（Fully Qualified Domain Name）からなる複合機の識別情報である。また、ジョブ管理情報は、上記に限定されない。
【００３８】
操作表示部５０は、各種の設定／指定の入力結果や通信の状態等を表示する液晶表示器と、液晶表示器に設けられたタッチパネルと、スタートボタン、キャンセルボタン、テンキー、電源ボタン等の各種の機能キー等を有して、ユーザインターフェース（ＵＩ）を構成している。
【００３９】
（第１の実施の形態の動作）
次に、画像処理システム１の動作を場合を分けて説明する。
【００４０】
（１）ジョブ実行動作
まず、ユーザは、操作表示部５０に表示されたメッセージに従って自分のユーザＩＤ及びパスワードを入力する。ＣＰＵ４１は、入力されたユーザＩＤおよびパスワードとＨＤＤ４５に登録されているユーザ認証情報とを照合して正規のユーザであると認定すると、操作表示部５０にメニュー画面を表示してジョブを受け付ける。
【００４１】
ユーザは、ＲＦＩＤタグ付き原稿９を原稿トレイ１１に載置する。ここでは、通常の原稿は添付されていないとする。次に、ユーザは、操作表示部５０に表示されているメニュー画面からコピー、ＦＡＸ、ｉＦＡＸ（インターネットＦＡＸ）、メール(Scan To E-mail)のいずれかのジョブを選択し、スタートボタンを押下して実行指示する。
【００４２】
例えば、ジョブの指定がコピーの場合、ＣＰＵ４１は、原稿トレイ１１に載置されたＲＦＩＤタグ付き原稿９の表面をスキャナ１３により読み取り、その原稿画像データをＨＤＤ４５に蓄積する。次に、ＣＰＵ４１は、ＨＤＤ４５から原稿画像データを読み出し、印刷部２０、給紙部３０、給紙ローラ３４及び搬送ローラ３５を動作させ、原稿画像データを指定の部数の用紙に印刷する。ＣＰＵ４１は、その後、ジョブ管理部４６に保存しているジョブ管理情報のうちジョブステータスをジョブの進行状況に応じて更新する。
【００４３】
ＣＰＵ４１は、ジョブ受付日時、マシンＩＤ、ジョブＩＤ、使用者名およびステータス等のジョブ管理情報を、ＲＦＩＤリーダ・ライタ１４によってＲＦＩＤタグ９１に書き込む。また、ＣＰＵ４１は、このジョブ管理情報をジョブ管理部４６にも書き込む。
【００４４】
また、ジョブの指定がＦＡＸの場合、ＲＦＩＤタグ付き原稿９の表面をスキャナで読み取って原稿画像データをＨＤＤ４５に蓄積した後、操作表示部５０のスタートボタンの押下により、ＣＰＵ４１は、ファクス通信部４８によりＦＡＸ機７１との回線接続を実行する。回線接続が終わると、ＨＤＤ４５から読み出された原稿画像データが公衆回線網７０を介して送信先のＦＡＸ機７１へ送信される。
【００４５】
（２）ジョブ履歴の確認
以上の様なジョブに対して、ジョブ履歴を直ちに確認したい場合、ユーザは、ジョブに利用したＲＦＩＤタグ付き原稿９を原稿トレイ１１に近接あるいは載置し、あるいはプラテン上に載置し、操作表示部５０のタッチパネルにより、画面上の「この原稿を利用したジョブの実行結果を確認」を押下する。この選択に応じて、ＣＰＵ４１は、ＲＦｌＤタグ９１から、ジョブ受付日時、マシンＩＤ、ジョブＩＤ、利用者名およびステータスを読み取り、操作表示部５０にジョブの一覧を表示する。この段階では、最終的なジョブ実行結果は、ＲＦｌＤタグ９１に書き込まれていないので、表示されない。その理由は、ジョブが、ＦＡＸ、ｉＦＡＸ、メール（Scan To E-mail）等である場合、送信した文書が相手に届いたか否かが瞬時には分からないためである。従って、ジョブの最終ステータスを確認したい場合には、しばらく時間をおいてから行う。
【００４６】
なお、ＲＦＩＤ９１から読み取ったマシンＩＤと「この原稿を利用したジョブの実行結果を確認」を実行しているマシンＩＤとが同一であり、かつ、ジョブのステータスが確立されていれば、ジョブ管理部４６からジョブＩＤに相当するジョブのステータスを操作表示部５０に表示する。また、取得したジョブのステータスは、ＲＦＩＤタグ９１に書き込まれる。
【００４７】
ＲＦＩＤタグ付き原稿９は、第１の複合機３のほか、第２の複写機５でも利用される可能性があるが、ジョブを実行した複写機（自機）でなくとも、他の複写機（他機）からジョブ実行結果を取得することができる。例えば、第１の複合機３で実行したジョブは、第２の複合機５から取得することができる。また、その逆も可能である。
【００４８】
この場合、第１の複合機３で読み取ったＲＦＩＤタグ付き原稿９のＲＦＩＤタグ９１のマシンＩＤが、第２の複合機５のマシンＩＤであれば、第１の複合機３はネットワーク４を介して第２の複合機５から該当するジョブ管理情報を取得し、これを第１の複合機３の操作表示部５０に表示する。
【００４９】
操作表示部５０の表示を見たユーザが、ジョブ履歴の用紙への印字出力を希望する場合、操作表示部５０により「この原稿を利用したジョブ履歴の出力」を選択する。この選択により、ＣＰＵ４１は、ＲＦＩＤリーダ・ライタ１４によりＲＦＩＤタグ９１から図４に示したジョブ履歴１００を読み出し、印刷部２０により印字出力する。なお、ジョブ履歴１００の表示及び印字出力は、ジョブ実行後、日時等が経過した後でも、ＲＦＩＤタグ９１にデータが残されていれば可能である。
【００５０】
以上のようにして、ＲＦＩＤタグ９１には、ＲＦＩＤタグ付き原稿９を利用する毎に蓄積されるが、ＲＦＩＤタグ９１のメモリ容量には限界があるため、履歴数が多くなって限界に達すると、それ以上蓄積することはできなくなる。この問題の解消は、ＲＦＩＤタグ９１のジョブ履歴情報を一旦用紙に出力した上で、ＲＦＩＤリーダ・ライタ１４またはＲＦＩＤライタ１６によりＲＦＩＤタグ９１の内容を消去することで対処している。
【００５１】
また、第１の複合機３のジョブ管理部４６においてもメモリ容量が限界に達するおそれがあるが、ジョブ管理部４６においては、古いジョブ履歴を順次消去することで対処している。
【００５２】
（３）ＲＦＩＤタグ付き原稿９の表面への印刷動作
ＲＦＩＤタグ付き原稿９の表面に印刷する場合、ユーザは、ＲＦＩＤタグ付き原稿９に印刷する情報をユーザ端末装置２等で作成し、これを複合機３のＨＤＤ４５に保存する。次に、ユーザは、情報が書き込まれていないＲＦＩＤタグ付き原稿９をタグ付きペーパートレイ３３にセットする。
【００５３】
次に、ユーザは、操作表示部５０を操作してＲＦＩＤタグ付き原稿９への書き込みを指示する。この指示により、ＣＰＵ４１は、給紙ローラ３４及び搬送ローラ３５を駆動し、タグ付き原稿トレイ３３上のＲＦＩＤタグ付き原稿９を印刷部２０へ搬送させる。ＲＦＩＤタグ付き原稿９は、印刷部２０により表記情報９３がＲＦＩＤタグ付き原稿９の表面に印刷される。表記情報９３の印刷が終了したＲＦＩＤタグ付き原稿９は、排紙トレイ１２へ排出される。
【００５４】
（第１の実施の形態の効果）
第１の実施の形態によれば、下記の効果を奏する。
（イ）ＲＦＩＤタグ付き原稿９を利用したジョブがどのような頻度で行われたかを管理できるため、ジョブ履歴を表示し或いは印字出力することにより、容易に実行結果を確認することができる。因みに、従来は、操作表示部５０にジョブ履歴を表示させ、おおよそのジョブ実行時間から該当するジョブの実行結果を探さなくてはならなかったが、本実施の形態によれば、ＲＦＩＤタグ９１を読み取るのみで、ＲＦＩＤタグ付き原稿９を使用したジョブの実行結果を迅速に知ることができる。
（ロ）普段使用しない複合機でジョブ履歴１００を取ろうとした場合、普段使用していてマシンＩＤが一致する他の複合機からジョブ履歴１００を取得できるため、不便を解消することができる。
（ハ）ＲＦＩＤタグ付き原稿９を複数のユーザが使用する場合でも、ジョブ履歴１００によりＲＦＩＤタグ付き原稿９の利用者を特定することができる。
（ニ）ＲＦＩＤタグ９１に利用者名が記録されるので、誰がＲＦＩＤタグ付き原稿９を利用したかを知ることができる。
（ホ）ＲＦＩＤタグ付き原稿９のＲＦＩＤタグ９１にジョブ履歴のみが記録されることにより、ジョブ履歴が複合機３に残る期間よりも、ＲＦＩＤタグ９１に長期間残されるため、長期にわたってジョブ履歴を活用することができる。
【００５５】
［第２の実施の形態］
図５は、本発明の第２の実施の形態に係る画像処理システムを示す。本実施の形態は、第１の実施の形態において、ジョブ管理部６０を備え、システム全体のジョブを管理するジョブ管理サーバ６をネットワーク４に接続したものであり、その他の構成は、第１の実施の形態と同様である。
【００５６】
ジョブ管理部６０には、ジョブ受付日時、マシンＩＤ、ジョブＩＤ、使用者名およびステータス等のジョブ情報が、ＲＦＩＤタグ付き原稿９を識別する原稿ＩＤとともに蓄積され、管理される。
【００５７】
本実施の形態においては、原稿ＩＤがＲＦＩＤタグ付き原稿９毎に割り当てられており、例えば、第１の複合機３がＲＦＩＤタグ付き原稿９を読み取ろうとしたとき、原稿ＩＤがＲＦＩＤ９１に格納されていなかった場合、複合機３は原稿ＩＤをＲＦＩＤタグ付き原稿９に割り当て、ＲＦＩＤタグ９１に原稿ＩＤの書き込みを行う。
【００５８】
原稿ＩＤがＲＦＩＤタグ９１に書き込まれたＲＦＩＤタグ付き原稿９を用いて、第１の複合機３によりＦＡＸ、ｉＦＡＸ、メール（Scan To E-mail）等のジョブを実行すると、そのジョブ管理情報は、複合機３からジョブ管理サーバ６へ転送され、ジョブ管理部６０に書き込まれる。
【００５９】
次に、ＲＦＩＤタグ付き原稿９のジョブ管理情報（ジョブ履歴情報）を第１の複合機３を用いて印字出力する場合、ＲＦＩＤタグ付き原稿９を複合機３の原稿トレイ１１に近接あるいは載置し、あるいはプラテン上に載置する。この載置をＣＰＵ４１が検知すると、対応する画面が操作表示部５０に表示される。その中から、ユーザは「この原稿を利用したジョブ履歴の出力」を選択する。この選択により、ＣＰＵ４１は、ＲＦＩＤリーダ・ライタ１４によりＲＦＩＤタグ９１から原稿ＩＤを読み出す。複合機３は、ＲＦＩＤタグ９１から取得した原稿ＩＤをジョブ管理サーバ６に問い合わせる。ジョブ管理サーバ６は、複合機３から問い合わせのあった原稿ＩＤのジョブ履歴１００をジョブ管理部６０から読み出し、このジョブ履歴１００を複合機３へ送信する。
【００６０】
複合機３は、印刷部２０及び給紙部３０を動作させ、ジョブ管理サーバ６から得たジョブ履歴１００の内容を指定の用紙に印字出力する。なお、印字出力を行わず、操作表示部５０に表示するのみにすることも可能である。また、取得したジョブ履歴を用いて、ＲＦＩＤタグ９１のジョブ履歴を更新する。
【００６１】
この第２の実施の形態によれば、複合機３，５のジョブ管理情報がジョブ管理サーバ６に保存されるため、複合機３，５はジョブ管理情報を蓄積する必要がなく、複合機３，５はＲＦＩＤタグ付き原稿９にさえ対応していればよいため、複合機３，５を汎用化することができる。
【００６２】
［第３の実施の形態］
図６は、本発明の第３の実施の形態に係る画像処理システムを示す。本実施の形態は、第１の実施の形態において、ネットワーク４にインターネット７を介して第２の複合機５とウェブ（Web）サーバ８を接続した構成にしたものであり、その他の構成は、第１の実施の形態と同様である。なお、本実施の形態では、同時に複数の送信先に送信が行えるようになっている。
【００６３】
ウェブサーバ８は、インターネット７を経由するデータのジョブ管理情報を蓄積するジョブ管理部８０を備えている。なお、第１の複合機３は、インターネット７を経由しないジョブのジョブ管理情報を保存するジョブ管理部４６を備えている。
【００６４】
（第３の実施の形態の動作）
次に、第３の実施の形態の動作を場合を分けて説明する。
【００６５】
（１）ジョブ実行動作
第１の実施の形態と同様に、ユーザは複合機３でユーザＩＤ及びパスワードを入力し、正規のユーザであると認定されると、操作表示部５０にメニュー画面が表示される。
【００６６】
ユーザが、例えば、ｉＦＡＸを選択し、操作表示部５０に表示される宛先一覧あるいは手入力により送信先のアドレスを指定する。このとき、ｉＦＡＸのほか、ＦＡＸ、メール等の異なるモードによる複数の送信、または複数の送信先への送信を１つのジョブ受け付けで指定することができる。
【００６７】
ユーザが送信先を指定後、原稿トレイ１１にＲＦＩＤタグ付き原稿９を載置し、操作表示部５０のスタートボタンを押下すると、複合機３のスキャナ１３でＲＦＩＤタグ付き原稿９の表面を読み取り、原稿画像データがＨＤＤ１５に一旦蓄積された後、その原稿画像データがネットワーク通信部４７によってネットワーク４およびインターネット７を介して第２の複合機５に送信される。
【００６８】
ＣＰＵ４１は、ＲＦＩＤリーダ・ライタ１４によりジョブ受付日時、マシンＩＤ、ジョブＩＤ、利用者名およびステータスをＲＦＩＤタグ９１に書き込む。なお、読み取りの完了したＲＦＩＤタグ付き原稿９は、排紙台１５へ排出される。
【００６９】
また、この送信に対する複合機３のジョブ結果は、ネットワーク４及びインターネット７を介してウェブサーバ８に通知される。この通知に基づいて、ウェブサーバ８は、ＲＦＩＤタグ付き原稿９及び複合機３に関するジョブ履歴１００を作成する。なお、送信先が複数である場合、１つの原稿が複数の宛先に配信されるため、複合機３には、配信先ごとにジョブが生成される。
【００７０】
（２）ジョブ履歴の確認
次に、ユーザがジョブの実行結果（ステータス）の確認を希望する場合、ＲＦＩＤタグ付き原稿９を原稿トレイ１１に載置し、操作表示部５０のタッチパネルから「この原稿を利用したジョブの実行結果を確認」を選択する。この選択により、複合機３のジョブ管理部４６に保存されているジョブ履歴情報が検索され、ジョブ実行結果が操作表示部５０に表示される。なお、ウェブサーバ８に問い合わせを行う必要が生じたとき、ＣＰＵ４１は、ネットワーク通信部４７を動作させてウェブサーバ８に接続を行い、ウェブサーバ８から最新の情報を取得して操作表示部５０に表示する。また、取得したジョブ履歴を用いて、ＲＦＩＤタグ９１のジョブ履歴を更新する。
【００７１】
図７は、ジョブ実行結果（ジョブ履歴）の表示例を示す。このジョブ履歴は、ＦＡＸ、ｉＦＡＸ及びウェブサーバ呼び出しの３つのジョブを１つのジョブフローとして実行した結果である。
【００７２】
図７の（ａ）は、ジョブＩＤの＃１０２が「送信中」で、＃１０４が「処理待ち」の状態にある実行結果を示し、図７の（ｂ）は（ａ）の状態から全てのジョブが完了した状態を示す。なお、（ｂ）の＃１０４は、「この原稿を利用したジョブの実行結果を確認」の指示が出されたタイミングで、複合機３がウェブサーバ８に問い合わせた結果に基づいてステータスを確立できたことを示している。
【００７３】
図７の（ｃ）は、複数のジョブの内、ジョブ＃１０３が異常終了した場合である。この場合、ユーザは、操作表示部５０のタッチパネルからジョブ＃１０３を選択する。この選択により、画面上のジョブ＃１０３の項目は反転表示になる。次に、ユーザは、操作表示部５０のタッチパネルに表示されている「再実行」を押下する。この指示により、ジョブ＃１０３のジョブが再実行される。ジョブ＃１０３のジョブが正常に終了すれば、図７の（ａ）の表示内容になる。
【００７４】
（第３の実施の形態の効果）
第３の実施の形態によれば、下記の効果を奏する。
（イ）インターネット７を経由した相手装置に対するジョブはウェブサーバ８にジョブ履歴が保存され、ウェブサーバ８からジョブ実行結果の最新の情報を取得することができるため、実行結果を迅速に確認することができる。
（ロ）操作表示部５０に表示された実行結果に再実行が必要なジョブがあった場合、そのジョブを画面上から選択することで再実行が行われるため、ユーザの作業を軽減することができる。
（ハ）送信先が複数の場合、１つの原稿内容が複数の宛先に配信されるため、複合機３では、配信先ごとにジョブが生成されるため、詳細なジョブ履歴を得ることができる。
【００７５】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００７６】
また、上記各実施の形態において、ユーザＩＤの入力は、手入力によらずＩＣカードや磁気カードから入力する構成にすることができる。
【図面の簡単な説明】
【００７７】
【図１】本発明の第１の実施の形態に係る画像処理システムを示す構成図である。
【図２】複合機の構成を示す構成図である。
【図３】複合機の制御系を示すブロック図である。
【図４】複合機のジョブ管理部に記憶されているジョブ履歴の一例を示す出力図である。
【図５】本発明の第２の実施の形態に係る画像処理システムを示す構成図である。
【図６】本発明の第３の実施の形態に係る画像処理システムを示す構成図である。
【図７】ジョブ実行結果を示す画面図である。
【００７８】
１  画像処理システム
２  ユーザ端末装置
３  第１の複合機
４  ネットワーク
５  第２の複合機
６  ジョブ管理サーバ
７  インターネット
８  ウェブサーバ
９  ＲＦＩＤタグ付き原稿
１０  本体
１１  原稿トレイ
１２  排紙トレイ
１３  スキャナ
１４  ＲＦＩＤリーダ・ライタ
１５  排紙台
１６  ＲＦＩＤライタ
２０  印刷部
２１  露光部
２２  ミラー
２３  感光体ドラム
２４  転写部
２５  定着ローラ
３０  給紙部
３２Ａ，３２Ｂ  用紙トレイ
３３  タグ付き原稿トレイ
３４  給紙ローラ
３５  搬送ローラ
４１  ＣＰＵ
４２  バス
４３  ＲＯＭ
４４  ＲＡＭ
４５  ＨＤＤ（ハードディスクドライブ）
４６  ジョブ管理部
４７  ネットワーク通信部
４８  ファクス通信部
５０  操作表示部
６０  ジョブ管理部
７０  公衆電話網
７１  ＦＡＸ機
８０  ジョブ管理部
９１  ＲＦＩＤタグ
９２  ペーパー
９３  表記情報
１００  ジョブ履歴
【図１】
2007306332.tif 000003
【図２】
2007306332.tif 000004
【図３】
2007306332.tif 000005
【図４】
2007306332.tif 000006
【図５】
2007306332.tif 000007
【図６】
2007306332.tif 000008
【図７】
2007306332.tif 000009